(57)【要約】【課題】ロール紙の円滑な搬送を可能にし、エッジガイドの取付位置の調整をユーザが意識せず、ロール紙の装着に付随して行なうことができるようにする。【解決手段】ロール紙ホルダ４５はロール紙Ｒと単票紙Ｓの両方の用紙に記録することができ、ロール紙Ｒの搬送経路を単票紙Ｓ用の自動給送装置５後方を引き回した後、自動給送装置５下方を通して記録ヘッド１９下方の記録ポジションに向けて搬送するようにした記録装置１に対して装着され、ロール紙Ｒ用のエッジガイド６７をロール紙ホルダ４５の一部に設けた。またエッジガイド６７は可動ホルダ４９に対して用紙幅方向に摺動し得るように取り付けた。また本発明のロール紙の繰り出し装置２は上記ロール紙ホルダ４５と、搬送ガイド６とを備えており、ロール紙ホルダ４５及び搬送ガイド６の上端の位置を記録装置本体３の下方に位置するように設けた。【選択図】        図５
2004299901.tif 000002
【特許請求の範囲】
【請求項１】
ロール紙と単票状媒体の両方の被記録媒体に記録することができ、ロール紙の搬送経路を単票状媒体用の自動給送装置後方を引き回した後、自動給送装置下方を通して記録ヘッド下方の記録ポジションに向けて搬送するようにした記録装置に対して装着されるロール紙ホルダであって、前記ロール紙ホルダはロール紙用のエッジガイドをロール紙ホルダの一部に設けたことを特徴とするロール紙ホルダ。
【請求項２】
請求項１において、前記ロール紙ホルダは、記録装置本体に対して固定状態で取り付けられる固定ホルダと、ロール紙の幅寸法に応じてロール紙の幅方向に移動し得るよう、記録装置本体に対して変位可能に取り付けられる可動ホルダとを備えており、前記エッジガイドは可動ホルダに対して被記録媒体幅方向に摺動し得るように取り付けられていることを特徴とするロール紙ホルダ。
【請求項３】
請求項２において、前記エッジガイドは、可動ホルダの周覆部の形状に沿うように湾曲形成されたガイド本体を有し、ガイド本体には可動ホルダの周覆部に設けられるガイドリブと係合する係合溝部と、可動ホルダの一部にバネ作用によって圧接し係止される弾性係止片とが設けられていることを特徴とするロール紙ホルダ。
【請求項４】
ロール紙と単票状媒体の両方の被記録媒体に記録することができ、ロール紙の搬送経路を単票状媒体用の自動給送装置後方を引き回した後、自動給送装置下方を通して記録ヘッド下方の記録ポジションに向けて搬送するようにした記録装置に対して適用されるロール紙の繰り出し装置であって、前記ロール紙の繰り出し装置は、ロール紙用のエッジガイドをロール紙ホルダの一部に設けたロール紙ホルダと、ロール紙ホルダから繰り出されたロール紙を記録ヘッド下方の記録ポジションに向けて案内する搬送ガイドとを備えており、ロール紙ホルダはロール紙が接線方向に円滑に繰り出されるよう、記録装置本体に対して下端寄りに位置するように設けられ、搬送ガイドは繰り出されたロール紙が円滑に搬送経路内に進入するよう、搬送ガイドの上端の位置を記録装置本体に対して下端寄りに位置するように設定したことを特徴とするロール紙ホルダを備えたロール紙の繰り出し装置。
【発明の詳細な説明】
【０００１】
【発明の属する技術分野】
本発明は、例えばロール紙と単票状媒体の両方の被記録媒体に記録することができるインクジェットプリンタ等の記録装置に対して装着されるロール紙ホルダ及び該ロール紙ホルダを備えたロール紙の繰り出し装置に関するものである。
【０００２】
【従来の技術】
従来からＡ３サイズを超えるような比較的大きなサイズの被記録媒体に記録する場合には、ロール紙対応の大型のインクジェットプリンタ等の記録装置が使用されていた。最近では、ユーザニーズの多様化に対応するため、下記特許文献１に示す如く、汎用タイプの比較的小型のインクジェットプリンタに対してもロール紙記録機能を備えるものが登場してきている。このようなインクジェットプリンタには、図７、図８に示す如く、ロール紙の搬送経路を単票状媒体用の自動給送装置後方を引き回した後、自動給送装置下方を通して記録ヘッド下方の記録ポジションに搬送するように設定したものがある。
【０００３】
このような構成のインクジェットプリンタ１０１では、自動給送装置１０３における給送用トレイ１０５の後面側のスペースを利用して給送用トレイ１０５の後面に沿うように適宜の間隔を隔てて搬送ガイド１０７が設けられている。搬送ガイド１０７の上端は、ロール紙ホルダ１０９の取付位置と関係し、プリンタ本体１１１に対して比較的高い位置に設定されている。また、搬送ガイド１０７の上端には、ロール紙ホルダ１０９から繰り出されたロール紙Ｒが円滑に給送用トレイ１０５と搬送ガイド１０７との間に搬入されるように幅方向に並ぶ複数個の案内コロ１１３が設けられている。
【０００４】
【特許文献１】
特開２００２−１７３２５６号公報
【０００５】
【発明が解決しようとする課題】
しかし、図７、図８に示す如く、ロール紙ホルダ１０９の取付位置及び搬送ガイド１０７の上端がプリンタ本体１１１に対して比較的高い位置に設定されていることに伴って、搬送経路１１５に対してロール紙Ｒが急な角度で進入するようになり、ロール紙Ｒの円滑な搬送を妨げていた。この場合、ロール紙ホルダ１０９の取付位置をプリンタ本体１１１の下方にずらせばロール紙Ｒの円滑な搬送が図られるが、エッジガイド１１７が給送トレイ１０５の後面に取り付けられていることもあって、ロール紙ホルダ１０９の取付位置を下方にずらすことは困難とされていた。
【０００６】
また、ロール紙ホルダ１０９に対するロール紙Ｒの装着やガイドエッジ１１７の取付位置の調整は、ユーザサイドで行なわれることになるが、ロール紙ホルダ１０９とエッジガイド１１７が各々独立したものであるため、エッジガイド１１７の取付位置の調整をユーザが忘れることが度々あり、ロール紙Ｒに対して斜めに記録される等の不具合が生じていた。
【０００７】
そこで本発明の目的は、ロール紙の円滑な搬送を可能にすることであり、加えてエッジガイドの取付位置の調整をユーザが特に意識しなくても、ロール紙の装着に付随して行うことのできるロール紙のエッジガイド機能を備えたロール紙ホルダ及び該ロール紙ホルダを備えたロール紙の繰り出し装置を提供することである。
【０００８】
【課題を解決するための手段】
上記目的を達成するために本発明に係るロール紙ホルダの第１の態様は、ロール紙と単票状媒体の両方の被記録媒体に記録することができ、ロール紙の搬送経路を単票状媒体用の自動給送装置後方を引き回した後、自動給送装置下方を通して記録ヘッド下方の記録ポジションに向けて搬送するようにした記録装置に対して装着されるロール紙ホルダであって、前記ロール紙ホルダはロール紙用のエッジガイドをロール紙ホルダの一部に設けたことを特徴とする。
本発明の第１の態様によれば、ロール紙ホルダの取り付け位置を下方にずらすことが可能となり、もってロール紙の円滑な繰り出しと円滑な搬送を図ることができる。
【０００９】
また、本発明に係るロール紙ホルダの第２の態様は、第１の態様において、前記ロール紙ホルダは、記録装置本体に対して固定状態で取り付けられる固定ホルダと、ロール紙の幅寸法に応じてロール紙の幅方向に移動し得るよう、記録装置本体に対して変位可能に取り付けられる可動ホルダとを備えており、前記エッジガイドは可動ホルダに対して被記録媒体幅方向に摺動し得るように取り付けられていることを特徴とする。
【００１０】
本発明の第２の態様によれば、ロール紙ホルダに対するロール紙の装着と同時にロール紙の端辺がエッジガイドによって規制されるから、エッジガイドの調整を忘れることがない。またエッジガイドを可動ホルダに対して摺動し得る構成としたことにより、ロール紙は円滑に繰り出されるよう、ロール紙ホルダに対して被記録媒体幅方向に若干の隙間を開けて装着されている場合であっても、最適な位置にエッジガイドの取付位置を微調整することが可能となる。
【００１１】
また、本発明に係るロール紙ホルダの第３の態様は、第２の態様において、前記エッジガイドは、可動ホルダの周覆部の形状に沿うように湾曲形成されたガイド本体を有し、ガイド本体には可動ホルダの周覆部に設けられるガイドリブと係合する係合溝部と、可動ホルダの一部にバネ作用によって圧接し係止される弾性係止片とが設けられていることを特徴とする。
本発明の第３の態様によれば、エッジガイドは可動ホルダに対して被記録媒体幅方向に平行に摺動し得ると共に、弾性係止片の係止作用によって、ロール紙が繰り出される際に生ずるロール紙端辺からの力を受けても、その係止位置をそのまま維持し移動することはない。
【００１２】
また、本発明に係るロール紙ホルダの第４の態様は、ロール紙と単票状媒体の両方の被記録媒体に記録することができ、ロール紙の搬送経路を単票状媒体用の自動給送装置後方を引き回した後、自動給送装置下方を通して記録ヘッド下方の記録ポジションに向けて搬送するようにした記録装置に対して適用されるロール紙の繰り出し装置であって、前記ロール紙の繰り出し装置は、ロール紙用のエッジガイドをロール紙ホルダの一部に設けたロール紙ホルダと、ロール紙ホルダから繰り出されたロール紙を記録ヘッド下方の記録ポジションに向けて案内する搬送ガイドとを備えており、ロール紙ホルダはロール紙が接線方向に円滑に繰り出されるよう、記録装置本体に対して下端寄りに位置するように設けられ、搬送ガイドは繰り出されたロール紙が円滑に搬送経路内に進入するよう、搬送ガイドの上端の位置を記録装置本体に対して下端寄りに位置するように設定したことを特徴とする。
【００１３】
本発明の第４の態様によれば、ロール紙は接線方向に無理なく繰り出されるからロール紙の円滑な搬送が可能となり、またエッジガイドがロール紙ホルダ側に設けられていることにより、エッジガイドの給送トレイ後面に対する取付位置等を何ら気にする必要も生じない。
【００１４】
【発明の実施の形態】
以下、本発明に係るロール紙ホルダ及び該ロール紙ホルダを備えたロール紙の繰り出し装置を記録装置の一例としてインクジェットプリンタに対して適用した実施の形態を例にとって具体的に説明する。尚、以下の説明では最初にインクジェットプリンタの基本的な構成を被記録媒体の搬送経路に従って説明し、次いで本発明に係るロール紙ホルダ及びロール紙の繰り出し装置の具体的な構成、その作動状態の順で説明する。
【００１５】
図１は、インクジェットプリンタの基本的な構成を示す側断面図である。このインクジェットプリンタ１はロール紙Ｒと単票紙Ｓの両方の被記録媒体に記録実行（記録）することができる構造を有している。最初に単票紙Ｓの搬送経路に従ってインクジェットプリンタ１の基本的な構成を説明する。単票紙ＳはＢ５やＡ４のように予め規格のサイズに裁断された用紙であり、記録装置本体３の後部に設けられている自動給送装置５における給送トレイ７上に積層状態で載置される。
【００１６】
給送トレイ７上の単票紙Ｓは、給送用ローラ９の回転軸１１の回転に伴ってホッパが所定のタイミングで上昇し、給送用ローラ９に向けて押し上げられる。そして給送用ローラ９の回転に伴って、最上面に位置する単票紙Ｓから順番に、図示しない分離パッドあるいはリータードローラ等の重送防止手段の力を借りて一枚ずつ記録装置本体３内に取り込まれる。記録装置本体３の内部には被記録媒体送り駆動ローラ１３と、被記録媒体送り従動ローラ１５とによって構成される被記録媒体送りローラ対１７が設けられており、この被記録媒体送りローラ対１７によって挟持された単票紙Ｓは、記録ヘッド１９の下方の記録ポジションに導かれる。尚、被記録媒体送り従動ローラ１５は、図示しない付勢手段によって被記録媒体送り駆動ローラ１３側に付勢された回動式の従動ローラホルダ２１によって保持されている。
【００１７】
記録ヘッド１９は、キャリッジ２３の下部に設けられており、インクカートリッジ２５が装着された状態でガイド軸２７に案内されながら単票紙Ｓの搬送方向と直交する主走査方向に往復駆動される。記録ヘッド１９と対向する下方には、単票紙Ｓが通過する所定の間隙を隔ててプラテン２９が設けられている。プラテン２９は、単票紙Ｓの下面を支承し、記録品質に影響を及ぼす記録ヘッド１９との厳格な間隙、即ち、ペーパーギャップを一定にする作用を担っている。記録ヘッド１９には、図示しないインク吐出ノズルが設けられており、単票紙Ｓの搬送とキャリッジ２３の主走査方向への移動とによって、単票紙Ｓのほぼ全面に亘る記録を可能にしている。
【００１８】
記録ヘッド１９の用紙搬送方向下流側には、排出駆動ローラ３１と、排出ギザローラ３３とによって構成される排出ローラ対３５が設けられている。この排出ローラ対３５は、記録された単票紙Ｓを更に用紙搬送方向下流側に位置する排出スタッカ３７上に導く搬送作用を担っている。排出スタッカ３７は、記録装置本体３に対して回動自在に設けられるスタッカ本体３９と、このスタッカ本体３９に対して一例として入れ子状に設けられる延長スタッカ４１とを備えることによって構成されている。
【００１９】
次に、ロール紙Ｒの搬送経路に従って、ロール紙Ｒ特有のインクジェットプリンタ１の基本的な構成を中心に説明する。ロール紙Ｒは、所定幅の連続した長尺の用紙がロール芯の周りに巻かれたもので、本発明に係るロール紙ホルダ４５によって遊転自在の状態で保持されている。ロール紙ホルダ４５によって保持されたロール紙Ｒの繰り出し端は、単票紙Ｓ用の上述した自動給送装置５の後面を通って、自動給送装置５の下方に至り、上述した被記録媒体送りローラ対１７による挟圧紙送り作用を受けながら記録ヘッド１９下方の記録ポジションに導かれる。
【００２０】
尚、自動給送装置５における給送トレイ７の後面側下方には、ロール紙Ｒを自動給送装置５の後面から下方に向けて案内するための搬送ガイド６が設けられている。この搬送ガイド６は、本発明に係るロール紙ホルダ４５と共に本発明の係るロール紙の繰り出し装置２を構成する構成部材となっている。また、被記録媒体送りローラ対１７に至ったロール紙Ｒは、上述の単票紙Ｓと同一の搬送経路を辿って排出ローラ対３５まで搬送され、排出スタッカ３７より更に被記録媒体搬送方向下流側に設けられているカッタ装置４３まで搬送されて所定の長さにカットされる。
【００２１】
図２は、本発明に係るロール紙の繰り出し装置を記録装置本体に適用した状態を示す斜視図である。図３は本発明に係るロール紙ホルダを記録装置本体側から透視して見た状態を示す正面図、図４は図３のロール紙ホルダの左側面図である。また図５は図３のロール紙ホルダにおける可動ホルダとエッジガイドを示す分解斜視図であり、図６はエッジガイドを可動ホルダに取り付けた状態を示す斜視図である。
【００２２】
次に、これらの図面に基づいて本発明に係るロール紙ホルダ４５の構成を中心に、本発明に係るロール紙の繰り出し装置２の構成と併せて具体的に説明する。ロール紙ホルダ４５は、図１に示す如く、ロール紙Ｒが接線方向に円滑に繰り出されるように記録装置本体３に対して、図７に示す従来の取付位置と比較すると明らかなように、幾分下端寄りに位置するように設けられている。ロール紙ホルダ４５は、記録装置本体３に対して固定状態で取り付けられる固定ホルダ４７と、ロール紙Ｒの幅寸法に応じて、ロール紙Ｒの幅方向に移動し得るよう、記録装置本体３に対して変位可能状態で取り付けられる可動ホルダ４９とを備えている。
【００２３】
また、固定ホルダ４７と可動ホルダ４９には、巻き取られた状態のロール紙Ｒにおけるロール芯に対して内嵌めされる嵌合部５０を備えるアタッチメント５１が設けられている。アタッチメント５１は、固定ホルダ４７と可動ホルダ４９に対して円周方向に遊転状態で回転し得ように取り付けられており、実質的に巻き取られた状態のロール紙Ｒの回転軸としての作用を奏している。
【００２４】
また、アタッチメント５１の嵌合部５０が設けられている側と反対側の端部には、手動でロール紙Ｒを回転させる場合等に使用する操作ノブ５２が設けられている。固定ホルダ４７は、端寸の一端が開放された円筒状の部材であり、ロール紙Ｒの端部寄りの周面を覆う周覆部５３と、周覆部５３の一端面を閉塞する端面部５５とから構成されている。
【００２５】
周覆部５３は、ロール紙Ｒの繰り出し側（記録装置本体３との取付側）の部位で幅が狭く、他の部位では比較的幅広に形成されている。また、記録装置本体３との取付部には、記録装置本体３に対して形成されている図示しない係止溝と係合する係止爪５７が設けられている。また端面部５５の中心には、アタッチメント５１における操作ノブ５２を受け入れるための貫通状態の窓部５９が開口されており、窓部５９の周縁部には、アタッチメント５１の操作ノブ５２における基部の外周面に形成されている爪部６１と係合する係合段部６３が設けられている。
【００２６】
可動ホルダ４９は、基本的には上記固定ホルダ４７と同様の構成を有している。可動ホルダ４９は、ロール紙Ｒを固定ホルダ４７との挟持作用によって保持していることから固定ホルダ４７とは左右対称な形状に成形されている。これに伴い同様の構成部位については、固定ホルダ４７で使用したのと同一の名称、同一の符号を使用する。可動ホルダ４９には、特有の構成として周覆部５３に対して被記録媒体幅方向に平行に延びる断面逆Ｌ字形のガイドリブ６５が設けられており、このガイドリブ６５を利用してエッジガイド６７が摺動自在に取り付けられている。
【００２７】
エッジガイド６７は繰り出されたロール紙Ｒの端辺に当接し、ロール紙Ｒが傾くことなく、平行に被記録媒体送りローラ対１７ないしは記録ヘッド１９下方の記録ポジションに導くように案内作用をする部材である。エッジガイド６７は、可動ホルダ４９の周覆部５３の形状に沿うように湾曲形成されたガイド本体６９を有し、ガイド本体６９には、可動ホルダ４９の周覆部５３に対して設けられているガイドリブ６５と係合する係合溝部７１と、エッジガイド６７を移動させる際の手掛かりとなる操作部７３と、可動ホルダ４９の周覆部５３に対してバネ作用によって圧接する、操作部７３の基部に設けられている弾性係止片７５と、係止爪５７が形成されている台座面５８に対してバネ作用によって圧接する弾性係止片７７とが設けられている。
【００２８】
本発明に係るロール紙の繰り出し装置２は、上記構成を有するロール紙ホルダ４５と、ロール紙ホルダ４５から繰り出されたロール紙Ｒを下方より支承し、記録ヘッド１９下方の記録ポジションに向けて案内する搬送ガイド６とを備えることによって構成されている。尚、この搬送ガイド６と、自動給送装置５における給送トレイ７の後面との間のスペースがロール紙Ｒを上記記録ポジションに導くための搬送経路となっている。そしてロール紙ホルダ４５は、ロール紙Ｒが接線方向に円滑に繰り出されるよう、記録装置本体３に対して比較的下方に位置するように設けられており、これに伴い、搬送ガイド６は繰り出されたロール紙Ｒが円滑に搬送経路内に進入するよう、搬送ガイド６の上端の位置を記録装置本体３に対して比較的下方に位置するように設定している。
【００２９】
次に、このようなロール紙ホルダ４５及びロール紙の繰り出し装置２を使用して行なうロール紙Ｒの装着と繰り出しの手順と併せて、ロール紙ホルダ４５及びロール紙の繰り出し装置２の作動状態について説明する。ロール紙Ｒをインクジェットプリンタ１に装着する場合には、固定ホルダ４７と可動ホルダ４９とによってロール紙Ｒを挟むようにしてロール紙Ｒのロール芯に対してアタッチメント５１における嵌合部５０を内嵌めする。この状態ではロール紙Ｒは、アタッチメント５１と一体になって固定ホルダ４７及び可動ホルダ４９に対して円周方向に遊転し得る状態で保持されている。
【００３０】
また、可動ホルダ４９の移動に伴って、エッジガイド６７も同時に移動するから、ロール紙Ｒをロール紙ホルダ４５に装着すると同時にエッジガイド６７の取付位置の調整も行われる。またロール紙Ｒの円滑な繰り出しを図るため、ロール紙Ｒと固定ホルダ４７ないし可動ホルダ４９との間には、図３に示す如く、若干の隙間Ｇが形成されている。従って、この隙間Ｇの範囲内でロール紙Ｒの用紙幅方向の取付位置に多少のばらつきが生ずるから、操作部７３の基部に設けられている弾性係止片７５に指を掛けて上方に幾分引き上げるようにして圧接による係止力を軽減させ、同時に操作部７３に指を掛けてエッジガイド６７を所望の方向に摺動させる。これにより、ロール紙Ｒの用紙幅方向における一方の端辺にエッジガイド６７が当接するようになり、エッジガイド６７の取付位置の微調整が図られる。
【００３１】
このようにしてロール紙ホルダ４５によって保持されたロール紙Ｒは、本発明のロール紙の繰り出し装置２の構成である、ロール紙ホルダ４５が記録装置本体３の下方に取り付けられていることと、搬送ガイド６の上端の位置を記録装置本体３に対して比較的下方に位置するように設定したことに関係して接線方向に無理なく繰り出され、エッジガイド６７によって幅方向の一方の端辺が案内された状態で被記録媒体送りローラ対１７ないしは記録ヘッド１９下方の記録ポジションに向けて平行にそして円滑に搬送されて行くのである。
【００３２】
本発明に係るロール紙ホルダ４５及び該ロール紙ホルダを備えたロール紙の繰り出し装置２は、以上述べたような構成を基本とするものであるが、本発明の要旨を逸脱しない範囲内の部分的構成の変更や省略等を行なうことも勿論可能である。例えば繰り出されたロール紙Ｒが搬送ガイド６の上端に当接するおそれがある場合には、適宜、搬送ガイド６の上端に案内コロ等を設けることが可能である。また可動ホルダ４９から不用意にエッジガイド６７が外れるのを防止するためにストッパ等を設けたり、可動ホルダ４９の周覆部５３に係合溝部を形成し、エッジガイド６７のガイド本体６９に上記係合溝部と係合するガイドリブ等を設けるようにすることも可能である。
【図面の簡単な説明】
【図１】インクジェットプリンタの基本的な構成を示す側断面図である。
【図２】ロール紙の繰り出し装置の使用状態を示す斜視図である。
【図３】ロール紙ホルダを示す正面図である。
【図４】ロール紙ホルダを示す左側面図である。
【図５】可動ホルダとエッジガイドを示す分解斜視図である。
【図６】エッジガイドを可動ホルダに取り付けた状態の斜視図である。
【図７】従来のロール紙ホルダの装着状態を示す側断面図である。
【図８】従来のロール紙ホルダの問題点を示す説明図である。
【符号の説明】
１  インクジェットプリンタ（記録装置）、  ２  ロール紙の繰り出し装置、
３  記録装置本体、  ５  自動給送装置、  ６  搬送ガイド、
７  給送トレイ、  ９  給送用ローラ、１１  回転軸、
１３  被記録媒体送り駆動ローラ、１５  被記録媒体送り従動ローラ、
１７  被記録媒体送りローラ対、１９  記録ヘッド、
２１  従動ローラホルダ、２３  キャリッジ、２５  インクカートリッジ、
２７  ガイド軸、２９  プラテン、３１  排出駆動ローラ、
３３  排出ギザローラ、３５  排出ローラ対、３７  排出スタッカ、
３９  スタッカ本体、４１  延長スタッカ、４３  カッタ装置、
４５  ロール紙ホルダ、４７  固定ホルダ、４９  可動ホルダ、５０  嵌合部、
５１  アタッチメント、５２  操作ノブ、５３  周覆部、５５  端面部、
５７  係止爪、５８  台座面、５９  窓部、６１  爪部、６３  係合段部、
６５  ガイドリブ、６７  エッジガイド、６９  ガイド本体、７１  係合溝部、
７３  操作部、７５  弾性係止片、７７  弾性係止片、  Ｒ  ロール紙、
Ｓ  単票紙、  Ｇ  隙間
【図１】
2004299901.tif 000003
【図２】
2004299901.tif 000004
【図３】
2004299901.tif 000005
【図４】
2004299901.tif 000006
【図５】
2004299901.tif 000007
【図６】
2004299901.tif 000008
【図７】
2004299901.tif 000009
【図８】
2004299901.tif 000010